(57)【要約】【課題】  安価な構成で繰り返し着脱操作が容易に行えると共に、点検口部分の止水性に対する信頼性向上を同時に図り得る衛生設備ユニットのフロア点検口構造を提供する。【解決手段】  蓋体に設けたネジ部をフロアの点検口に設けたネジ部に螺合させることにより、蓋体が点検口に着脱可能に装着されることを特徴とする。前記点検口のネジ部は、フロアの点検口周縁に一体形成されていたり、フロアの点検口周縁部に予めネジ部が形成されたネジ部材の取付部を固定することによって設けられる。【選択図】  図２
2005188089.tif 000002
【特許請求の範囲】
【請求項１】
所定形状の点検口が設けられたフロアと、該フロアの点検口に装着される蓋体とを備え、
前記蓋体に設けたネジ部をフロアの点検口に設けたネジ部に螺合させることにより、蓋体が点検口に着脱可能に装着されることを特徴とする衛生設備ユニットのフロア点検口構造。
【請求項２】
前記点検口のネジ部は、フロアの点検口周縁に一体形成されていることを特徴とする請求項１に記載の衛生設備ユニットのフロア点検口構造。
【請求項３】
前記点検口のネジ部は、フロアの点検口周縁部に予めネジ部が形成されたネジ部材の取付部を固定することによって設けられていることを特徴とする請求項１に記載の衛生設備ユニットのフロア点検口構造。
【請求項４】
前記ネジ部材の取付部は、点検口と同一形状に形成されていることを特徴とする請求項３に記載の衛生設備ユニットのフロア点検口構造。
【請求項５】
前記蓋体は、点検口の所定部位にシール手段を介装させた状態で、該点検口に装着されていることを特徴とする請求項１ないし４のいずれかに記載の衛生設備ユニットのフロア点検口構造。
【発明の詳細な説明】
【技術分野】
【０００１】
本発明は、システムバスルーム等の衛生設備ユニットのフロアに設けられる点検口構造に係わり、特に点検口に蓋体を容易に着脱し得るフロア点検口構造に関する。
【背景技術】
【０００２】
一般的に、システムバスルーム等の浴室ユニットにおいては、浴槽側パンと洗い場側パンからなるフロアを有し、このフロアの洗い場側パンのカウンターフロアや浴槽側パンの側面あるいは底面には、配管作業用や点検作業用等の開口（点検口という）が設けられており、この点検口には、通常樹脂やゴム製等の板状の蓋体が取り付けられるようになっている。
【０００３】
従来、この点検口への蓋体の取付構造としては、例えば特許文献１に開示されている。この取付構造の蓋体は、防水パンにアンカープラグが埋設された貫通しない有底凹部を設け、この凹部内のアンカープラグに蓋体取付用のネジをねじ込むことによって、蓋体を点検口に着脱可能に取り付けるようにしたものである。
【特許文献１】特開２０００−２６５５１７号公報
【発明の開示】
【発明が解決しようとする課題】
【０００４】
しかしながら、この蓋体の取付構造においては、蓋体をアンカープラグに複数本のネジによって取り付ける構造であるため、蓋体とアンカープラグの位置（すなわちネジの取付位置）が特定されたり複数本のネジのねじ込み作業が必要となって、蓋体の点検口への取り付けや取り外し自体が面倒であり、蓋体を簡単に繰り返し着脱操作することが難しいという問題点を有している。また、防水パンの点検口の周囲に、アンカープラグが埋設された有底凹部を予め形成する必要があるため、新たな部品としてアンカープラグが必要になると共に防水パン自体の構造も複雑化して、フロアのコストアップを招き易いという問題点も有している。
【０００５】
本発明は、このような事情に鑑みてなされたもので、その目的は、安価な構成により繰り返し着脱操作が容易に行えると共に、点検口部分の止水性に対する信頼性向上を同時に図り得る衛生設備ユニットのフロア点検口構造を提供することにある。
【課題を解決するための手段】
【０００６】
かかる目的を達成すべく、本発明のうち請求項１に記載の発明は、所定形状の点検口が設けられたフロアと、該フロアの点検口に装着される蓋体とを備え、前記蓋体に設けたネジ部をフロアの点検口に設けたネジ部に螺合させることにより、蓋体が点検口に着脱可能に装着されることを特徴とする。
【０００７】
そして、前記点検口のネジ部は、請求項２に記載の発明のように、フロアの点検口周縁に一体形成されていたり、請求項３に記載の発明のように、フロアの点検口周縁部に予めネジ部が形成されたネジ部材の取付部を固定することによって設けられていることが好ましい。このネジ部材を使用する場合は、請求項３に記載の発明のように、その取付部が点検口と同一形状に形成されていることが好ましい。
【０００８】
さらに、前記蓋体は、請求項５に記載の発明のように、点検口の所定部位にシール手段を介装させた状態で、該点検口に装着されていることが好ましい。
【発明の効果】
【０００９】
本発明の請求項１に記載の発明によれば、蓋体に設けたネジ部をフロアの点検口に設けたネジ部に螺合させることによって蓋体が点検口に着脱可能に装着されるため、蓋体をねじ込み式に着脱できて、繰り返し着脱が容易に行えると共に、経年劣化のないネジ部によって蓋体と点検口間に所定の止水性が確保され、長期に亘り安定した止水性を維持することができる。
【００１０】
また、請求項２に記載の発明によれば、請求項１に記載の発明の効果に加え、点検口のネジ部がフロアの点検口周縁に一体形成されているため、点検口へのネジ部の形成が容易となり、安価な点検口構造を得ることができる。
【００１１】
また、請求項３に記載の発明によれば、請求項１に記載の発明の効果に加え、点検口のネジ部が、フロアの点検口周縁部に予めネジ部が形成されたネジ部材の取付部を固定することによって設けられているため、ネジ部材を点検口に取り付けることで、点検口の形状に係わらず点検口にネジ部を設けることができて、各種形状の点検口に簡単に適用することができる。
【００１２】
また、請求項４に記載の発明によれば、請求項３に記載の発明の効果に加え、ネジ部材の取付部が点検口と同一形状に形成されているため、点検口にネジ部材の取付部を確実かつ安定状態で取り付けできて、点検口部分の止水性を一層高めることができる。
【００１３】
さらに、請求項５に記載の発明によれば、請求項１ないし４に記載の発明の効果に加え、蓋体が点検口の所定部位にシール手段を介した状態で装着されているため、蓋体と点検口の各ネジ部による止水効果とシール手段による止水効果が同時に得られて、点検口部分の止水性をより一層高めることができる。
【発明を実施するための最良の形態】
【００１４】
以下、本発明を実施するための最良の形態を図面に基づいて詳細に説明する。
図１〜図３は、本発明に係わるフロア点検口構造を浴室ユニットに適用した場合の一実施形態を示し、図１がその浴室フロアの斜視図、図２が点検口部分の分解斜視図、図３がその縦断面図である。
【００１５】
図１において、浴室ユニットの浴室フロア１は、一体成形されるかもしくは別体成形されて連結配置された浴槽側パン２と洗い場側パン３とを有し、洗い場側パン３の一端部には、カウンターフロア４が一体形成されている。そして、カウンターフロア４の幅方向の両端部には、配管の立上げ・点検用の円形の点検口５がそれぞれ形成されると共に、浴槽側パン２の底面２ａの洗い場寄りの長手方向（浴槽の背足方向）の所定位置には、排水管や排水トラップの設置・点検用の円形の点検口６がそれぞれ形成され、また、浴槽側パン２の洗い場側の側面２ｂの長手方向に沿った所定の２箇所には、フロア設置時の足調整用の長方形状の点検口７がそれぞれ形成されている。
【００１６】
これらの点検口５〜７のうち、例えばカウンターフロア４の点検口５は、図２及び図３に示すように、点検口５の周縁に上方に向けて立設された立壁部５ａが一体形成されると共に、この立壁部５ａの外周面に例えば雄ネジ（もしくは雌ネジ）からなるネジ部５ｂが設けられ、この点検口５には、蓋体８が着脱可能に装着されるようになっている。すなわち、蓋体８は、樹脂成形等により底壁部８ａと周壁部８ｂを有する皿形状に形成され、その周壁部８ｂの内面に例えば雌ネジ（もしくは雄ネジ）からなるネジ部８ｃが形成されている。
【００１７】
そして、この蓋体８を図２の矢印イの如く、点検口５の立壁部５ａに上方から被せ、蓋体８を図３の矢印ロの如く回転させて、そのネジ部８ｃを点検口５のネジ部５ｂにねじ込む（螺合させる）ことにより、蓋体８が点検口５にねじ込み式で装着されるようになっている。なお、この装着状態において、蓋体８の底壁部８ａ内面は、点検口５の立壁部５ａの上面に密着すると共に両ネジ部８ｃ、５ｂが螺合状態となって、蓋体８と点検口５の止水性が所定に確保されている。また同時に、点検口５の立壁部５ａがカウンターフロア４のフロア面４ａより上方に突出して、カウンターフロア４上に落下した水滴等の点検口５を介した洗い場側パン３の下方外部への漏出等が防止されるようになっている。
【００１８】
次に、この点検口５の使用方法の一例について説明する。カウンターフロア４に設けられる２個の点検口５は、その一方が配管立上げ用に使用され、他方が一般的な点検用として使用される。この時、一般的な点検用として使用されるカウンターフロア４の例えば右側の点検口５の場合は、立壁部５ａに蓋体８を装着しない状態において、点検口５からカウンターフロア４の内部（下部）の点検作業や配管作業等が可能となり、これらの作業後に、点検口５の立壁部５ａのネジ部５ｂに蓋体８のネジ部８ｃをねじ込むことにより、図３の実線で示すように、点検口５に蓋体８が装着されて点検口５が閉塞された状態となる。
【００１９】
一方、配管立上げ用に使用されるカウンターフロア４の例えば左側の点検口５の場合は、点検口５内に図示しない給湯配管等を下方から貫通配置させた状態で、例えば図３の二点鎖線で示すようなゴム等で一体形成された防水部材９を使用し、この防水部材９の管挿通部９ａに配管を貫通させると共にその弾性を有する周壁部９ｂを点検口５の立壁部５ａに弾性を利用して被せ、また必要に応じ防水部材９の周壁部９ｂを締結バンドによって立壁部５ａに締め付ける。これにより、点検口５に防水部材９を介して配管が立上げられ、この時、配管の位置バラツキが弾性を有する防水部材９の弾性変形によって吸収されると共に、防水部材９の周壁部９ｂの立壁部５ａからの抜けがネジ部５ｂの凹凸によって抑制される状態となり、防水部材９の点検口５への安定した装着状態が得られることになる。
【００２０】
なお、以上の説明においては、カウンターフロア４の２個の点検口５にねじ込み式の蓋体８を装着する場合について説明したが、例えば浴槽側パン２の底面２ａに設けられる点検口６にも、点検口５と同様の外周面にネジ部を有する立壁部を形成し、この立壁部にネジ部を有する蓋体８を着脱可能に装着するようにしても良い。また、浴槽側パン２の側面２ｂに設けられる点検口７については、開口状態のままで使用したり、後述するように長方形状の取付部１０ａを有し蓋体８が着脱可能なネジ部材１０を使用したり、あるいは平板状の蓋体（図示せず）を単に取り付けて使用するように構成することができる。
【００２１】
このように、上記実施形態の浴室フロア１にあっては、蓋体８の周壁部８ｂに設けたネジ部８ｃを、浴室フロア１の点検口５や点検口６等（以下、点検口５として説明する）の立壁部５ａの外周面に設けたネジ部５ｂに螺合させることによって、蓋体８が点検口５に着脱可能に装着されるため、蓋体５をねじ込み式に着脱できると共に蓋体８の点検口５への位置決めも一義的に決定され、従来のような板状の蓋体を位置決めしつつ複数のネジで着脱する場合に比較して、蓋体８の着脱操作や繰り返し着脱操作を極めて簡単に行うことができる。
【００２２】
その結果、配管作業等の点検口５を使用した各種作業や点検作業等の作業効率の向上を図ることが可能となり、例えば洗い場側パン３のカウンターフロア４に設けられる２個の点検口５に適用することで、各点検口５を配管立上げ用や点検専用として好適に使用でき、使い勝手に優れた点検口構造を得ることが可能となる。
【００２３】
また、蓋体８と点検口５の立壁部５ａとがネジ部８ｃ、５ｂによって止水され、、かつ樹脂成形等によって形成された各ネジ部８ｃ、５ｂの経年劣化がほとんどないため、従来のような面倒なシール作業によってシールする必要がなくなり、ネジ部８ｃ、５ｂによって蓋体８と点検口５間に所定の止水性を容易に確保することができると共に、所定の止水性を長期に亘り安定して維持することが可能となる。特に、点検口５の周縁にフロア面４ａより上方に突出した立壁部５ａが形成され、この立壁部５ａの上面に蓋体８が密着状態で装着されるため、立壁部５ａによりフロア面４ａ上に落下した水滴の点検口５内への進入が確実に阻止されると共に、密着部分によっても十分な止水性を確保することができる。
【００２４】
ところで、上記実施形態においては、浴室フロア１の点検口５に、外周面にネジ部５ｂを有する円形の立壁部５ａを一体形成したが、浴室フロア１を形成する各パン２、３の形状によってネジ部５ｂを有する立壁部５ａを一体形成できない点検口５の場合は、図４に示すように、ネジ部材１０を使用して蓋体８をねじ込み式に装着すれば良い。
【００２５】
すなわち、先ず図５に示すように、浴室フロア１の円形の点検口５の周縁に嵌合密着する取付部１０ａと、この取付部１０ａの上方に所定長さ突出形成され外周面にネジ部１０ｃが形成された周壁部１０ｂとを有するネジ部材１０を別途作製し、図４に示すように、ネジ部材１０の取付部１０ａを点検口５に嵌合させ接着もしくはネジにより固定して浴室フロア１（図ではカウンターフロア４）に一体化する。そして、このネジ部材１０の周壁部１０ｂのネジ部１０ｃに前記ネジ部８ｃを有する蓋体８をねじ込んで装着する。
【００２６】
この実施形態においても、蓋体８を点検口５にねじ込み式に装着できて、上記実施形態と同様の作用効果を得ることができる他に、点検口５にネジ部５ｂを一体形成する必要がなく、ネジ部５ｂを一体形成できない各パン２、３であっても適用できるという作用効果が得られる。また、この実施形態の場合、ネジ部材１０の取付部１０ａと周壁部１０ｂとの間に段差１１を設け、この段差１１を点検口５の周縁に密着させることで、ネジ部８ｃ、１０ｃによる止水性と合わせ点検口５に所定の止水性を容易に確保することができる。
【００２７】
なお、この実施形態の場合、浴室フロア１の点検口５が円形の場合は、図５に示すようにネジ部材１０に円形の取付部１０ａを設け、この取付部１０ａを点検口５に嵌合させることで、ネジ部１０ｃを浴室フロア１に止水性を十分に確保した状態で一体化できるが、点検口の形状が前記点検口７のように方形状の場合は、図６に示すように、その外周が点検口７の大きさより若干大きい平板状の取付部１０ａの中心位置に、外周面にネジ部１０ｃが形成された周壁部１０ｂを一体形成したネジ部材１０を使用すれば良い。このようにすれば、点検口の形状に係わらずネジ部１０ｃを設けることができて、例えば既存の製品を大きく設計変更することなく対応できたり既設の浴室にも適用できる等、汎用性に優れて各種形状の点検口に簡単に適用できるという作用効果が得られる。
【００２８】
そして、このような平板状の取付部１０ａを有するネジ部材１０を使用する場合は、２つの点検口７に前記点検口５と同様に異なる機能を持たせることもできるし、例えばネジ部材１０を取り外すことにより点検口７が大きく開口することから、足調整作業や配管作業時にはネジ部材１０を取り付けない状態とし、設置後の点検時には、点検口７に取り付けたネジ部材１０の蓋体８を取り外し比較的狭い点検口を介して行う等、適宜の使用方法が考えられる。
【００２９】
また、上記実施形態においては、ネジ部８ｃ、１０ｃ、５ｂ等により点検口５に所定の止水性を確保するようにしたが、本発明はこれらの点検口構造に限定されず、例えば図７及び図８に示すように、従来と同様の止水構造と併用することもできる。すなわち、図７に示す点検口構造は、点検口５の立壁部５ａの上面と蓋体８との間にリング状のパッキン１２等のシール手段を介装させたものであり、このパッキン１２による止水性とネジ部８ｃ、５ｂによる止水性の両者により、点検口５全体の止水性を一層高めることができる。
【００３０】
また、図８に示す点検口構造は、蓋体８を点検口５の立壁部５ａのネジ部５ｂにねじ込んで装着した後に、蓋体８の周壁部８ｂ下端と浴室フロア１（フロア面４ａ）間に円環状にシリコンコーキング１３等のシール手段を施したものであり、このシリコンコーキング１３による止水性とネジ部８ｃ、５ｂによる止水性の両者により、点検口５の止水性が一層高められることになる。なお、シール手段としては、パッキン１２やシリコンコーキング１３以外の他の適宜の手段を採用することができる。
【００３１】
なお、上記各実施形態における点検口５〜７の形状や蓋体８の装着の有無は一例であって、ネジ部材１０を使用する場合は、適宜形状の点検口に適用できるし、蓋体８は浴室フロア１の必要とする所定の点検口５〜７に装着すれば良い。例えば、図４に示す実施形態において、立壁部５ａを有しない点検口に別途作成したネジ部材１０を取り付ける構成を採用することも可能である。また、浴室フロア１を構成する浴槽側パン２や洗い場側パン３の形状等も、本発明の各発明に係わる要旨を逸脱しない範囲において適宜に変更することができる。
【産業上の利用可能性】
【００３２】
本発明は、浴槽側パンと洗い場側パンからなる浴室ユニットのフロア以外に、例えば洗面室ユニットやトイレユニット、サウナユニット等の各種衛生設備ユニットのフロアにも適用できる。
【図面の簡単な説明】
【００３３】
【図１】本発明に係わるフロア点検口構造を採用し得る浴室ユニットのフロアの斜視図
【図２】同その点検口構造の一実施形態を示す分解斜視図
【図３】同その縦断面図
【図４】同点検口構造の他の実施形態を示す縦断面図
【図５】同そのネジ部材の斜視図
【図６】同他のネジ部材の斜視図
【図７】同点検口構造のさらに他の実施形態を示す縦断面図
【図８】同点検口構造のさらに他の実施形態を示す縦断面図
【符号の説明】
【００３４】
１・・・浴室フロア、２・・・浴槽側パン、２ａ・・・底面、２ｂ・・・側面、３・・・洗い場側パン、４・・・カウンターフロア、４ａ・・・フロア面、５・・・点検口、５ａ・・・立壁部、５ｂ・・・ネジ部、６、７・・・点検口、８・・・蓋体、８ａ・・・底壁部、８ｂ・・・周壁部、８ｃ・・・ネジ部、９・・・・防水部材、９ａ・・・管挿通部、９ｂ・・・周壁部、１０・・・ネジ部材、１０ａ・・・取付部、１０ｂ・・・周壁部、１０ｃ・・・ネジ部、１１・・・段差、１２・・・パッキン、１３・・・シリコンコーキング。
【図１】
2005188089.tif 000003
【図２】
2005188089.tif 000004
【図３】
2005188089.tif 000005
【図４】
2005188089.tif 000006
【図５】
2005188089.tif 000007
【図６】
2005188089.tif 000008
【図７】
2005188089.tif 000009
【図８】
2005188089.tif 000010